(57)【要約】    【課題】  第２感圧部が正しく機能するとともにクリック感の低下を抑制することができる２段スイッチユニットを提供する。    【解決手段】  第１の押圧力で押圧されたことを感知する複数の第１感圧部を有する第１のメンブレンスイッチ５と、第２の押圧力で押圧されたことを感知する複数の第２感圧部を有する第２のメンブレンスイッチ９との間に補強板７を配置する。第１感圧部が第２の押圧力で押圧されたときだけその押圧を第２感圧部が感知するように補強板７を撓ませる。第１のメンブレンスイッチ５を介して補強板７に作用した第２の押圧力を第２感圧部に伝達する複数のクリック板１１をそれぞれ第２感圧部に配置する。【選択図】        図１
2006286353.tif 000002
【特許請求の範囲】
【請求項１】
可撓性シートと、このシートに配列され、第１の押圧力で押圧されたことを感知する複数の第１感圧部とを有する第１の押圧検出手段と、
前記第１の押圧検出手段の下方へ配置され、前記第１感圧部が前記第１の押圧力よりも大きな第２の押圧力で押圧されたことを感知する複数の第２感圧部を有する第２の押圧検出手段と、
前記第１の押圧検出手段と前記第２の押圧検出手段との間に配置され、前記第１感圧部が前記第２の押圧力で押圧されたときだけその押圧を前記第２感圧部が感知するように撓む可撓板と、
前記複数の第２感圧部のそれぞれに配置され、前記第１の押圧検出手段を介して前記可撓板に作用した前記第２の押圧力を前記第２感圧部に伝達する複数のクリック板と
を備えていることを特徴とする２段スイッチユニット。
【請求項２】
前記可撓板が前記第１の押圧検出手段を保持するほぼ十字状の保持部を有し、この保持部と前記第１、２感圧部とが対向していることを特徴とする請求項１記載の２段スイッチユニット。
【請求項３】
前記可撓板が前記第１の押圧検出手段を保持するほぼＩの字状の保持部を有し、この保持部と前記第１、２感圧部とが対向していることを特徴とする請求項１記載の２段スイッチユニット。
【請求項４】
前記可撓板が、その一部分に前記第２の押圧力が作用したときにその部分と隣接する部分の撓みを抑制する切れ込みを有することを特徴とする請求項３記載の２段スイッチユニット。
【請求項５】
前記可撓板が、前記複数のクリック板のそれぞれに向かって突出する複数の突起部を有することを特徴とする請求項１〜４のいずれか１項記載の２段スイッチユニット。
【発明の詳細な説明】
【技術分野】
【０００１】
この発明は複数のスイッチから構成され、例えば、操作者のスイッチに対する接触と押圧とを検出することが可能な２段スイッチユニットに関する。
【背景技術】
【０００２】
従来、ノブとキー操作ベースと第１メンブレンシートと補強板と第２メンブレンシートとクリック板とプッシャとケースとからなる２段スイッチユニットが知られている（下記特許文献１参照）。
【０００３】
ノブは弾性シートとこの弾性シートに一体に形成された複数の押圧部とを有する。キー操作ベースはノブの複数の押圧部をそれぞれ収容する複数の押圧用孔を有する。ノブの弾性シートはキー操作ベースに重なり、キー操作ベースの押圧用孔に収容されたノブの押圧部は移動可能である。
【０００４】
第１メンブレンシートは押圧用孔に収容されたノブの押圧部にそれぞれ対向する複数の１段目スイッチを有する。
【０００５】
補強板の上面に第１メンブレンシートとキー操作ベースとが階層的に配置されている。
【０００６】
第２メンブレンシートは補強板の下面に貼り付けられている。第２メンブレンシートは補強板の中央部に対向する１つのスイッチ本体を有する。
【０００７】
クリック板は第２メンブレンシートの下面に取り付けられ、第２メンブレンシートのスイッチ本体を覆う。
【０００８】
プッシャは、第２メンブレンシート、補強板等を支持するドーム部と、ドーム部の周縁部が押圧されたときにクリック板を介してスイッチ本体に圧接する突起とを有する。
【０００９】
ケースは裏面板と側壁とカバーとを有する。ケースはプッシャ、クリック板、第２メンブレンシート、補強板、第１メンブレンシート及びキー操作ベースを収容する。ケースの裏面板はプッシャを保持する。また、ケースの側壁とカバーとでノブの弾性シートの周縁部を保持する。
【００１０】
指でノブの押圧部を押圧すると、弾性シートが撓み、押圧部が下がる。押圧部が下がると、１段目スイッチがオンになる。そして、押圧部を更に押圧すると、補強板が下がり、プッシャのドーム部の周縁部が押圧されてドーム部が変形し、第２メンブレンシートのスイッチ本体がクリック板を介してプッシャの突起に圧接し、スイッチ本体がオンになる。
【特許文献１】特開２００４−３２７４３０号公報（段落００１６〜００１８、図４参照）
【発明の開示】
【発明が解決しようとする課題】
【００１１】
上述のように２段スイッチユニットは複数の１段目スイッチと第２メンブレンシートの中心部に配置された１つの２段目スイッチ（スイッチ本体）とで構成されているので、１段目スイッチを押したときに、補強板が傾くことがある。そのため２段目スイッチが正しく機能しないおそれがある。
【００１２】
これを防ぐには２段目スイッチを１段目スイッチの数に応じて増やせばよい。このとき２段目スイッチを増やした分だけクリック板の数も増やす。
【００１３】
しかし、この方法にはクリック感が低下するおそれがあるという問題があった。
【００１４】
この発明はこのような事情に鑑みてなされたもので、その課題は第２感圧部が正しく機能するとともに、クリック感の低下を抑制することができる２段スイッチユニットを提供することである。
【課題を解決するための手段】
【００１５】
前述の課題を解決するため請求項１の発明の２段スイッチユニットは、可撓性シートと、このシートに配列され、第１の押圧力で押圧されたことを感知する複数の第１感圧部とを有する第１の押圧検出手段と、前記第１の押圧検出手段の下方へ配置され、前記第１感圧部が前記第１の押圧力よりも大きな第２の押圧力で押圧されたことを感知する複数の第２感圧部を有する第２の押圧検出手段と、前記第１の押圧検出手段と前記第２の押圧検出手段との間に配置され、前記第１感圧部が前記第２の押圧力で押圧されたときだけその押圧を前記第２感圧部が感知するように撓む可撓板と、前記複数の第２感圧部のそれぞれに配置され、前記第１の押圧検出手段を介して前記可撓板に作用した前記第２の押圧力を前記第２感圧部に伝達する複数のクリック板とを備えていることを特徴とする。
【００１６】
上述のように、第１の押圧検出手段と第２の押圧検出手段との間に配置された可撓板は、第１感圧部が第２の押圧力で押圧されたときだけその押圧を第２感圧部が感知するように撓むので、クリック板のクリック感の低下が抑制される。
【００１７】
請求項２の発明は、請求項１記載の２段スイッチユニットにおいて、前記可撓板が前記第１の押圧検出手段を保持するほぼ十字状の保持部を有し、この保持部と前記第１、２感圧部とが対向していることを特徴とする。
【００１８】
請求項３の発明は、請求項１記載の２段スイッチユニットにおいて、前記可撓板が前記第１の押圧検出手段を保持するほぼＩの字状の保持部を有し、この保持部と前記第１、２感圧部とが対向していることを特徴とする。
【００１９】
請求項４の発明は、請求項３記載の２段スイッチユニットにおいて、前記可撓板が、その一部分に前記第２の押圧力が作用したときにその部分と隣接する部分の撓みを抑制する切れ込みを有することを特徴とする。
【００２０】
請求項５の発明は、請求項１〜４のいずれか１項記載の２段スイッチユニットにおいて、前記可撓板が、前記複数のクリック板のそれぞれに向かって突出する複数の突起部を有することを特徴とする。
【発明の効果】
【００２１】
以上説明したようにこの発明の２段スイッチユニットによれば、第２感圧部が正しく機能するとともに、クリック感の低下を抑制することができる。
【発明を実施するための最良の形態】
【００２２】
以下、この発明の実施の形態を図面に基づいて説明する。
【００２３】
図１はこの発明の第１実施形態に係る２段スイッチユニットの分解斜視図、図２は図１の２段スイッチユニットを下方から見たときの分解斜視図、図３は２段スイッチユニットの平面図、図４は図３のIV−IV線に沿う断面図、図５は図３のＶ−Ｖ線に沿う断面図、図６は第１のメンブレンスイッチの断面図、図７は第２のメンブレンスイッチの断面図である。
【００２４】
この２段スイッチユニットは例えばナビゲーションシステム等の操作スイッチとして好適である。図１〜図３に示すように、この２段スイッチユニットはノブ３と第１のメンブレンスイッチ（第１の押圧検出手段）５と補強板（可撓板）７と第２のメンブレンスイッチ（第２の押圧検出手段）９とクリック板１１とリアプレート１３とカバー１４とを備える。
【００２５】
ノブ３は、ほぼ十字形のキー部３１と、キー部３１の中央部に形成された円形のボタン部３２と、キー部３１を取り囲む平板なプレート部３３と、プレート部３３の周縁部をほぼ３／４周取り囲む側壁部３４とを有する。キー部３１、ボタン部３２、プレート部３３及び側壁部３４は弾性材料で一体形成される。キー部３１の下面には複数の突起３１ａが形成されている。また、ボタン部３２の下面には１つの突起３２ａが形成されている。プレート部３３の周縁部にはほぼ９０度間隔で４つの切欠き３３ａが形成されている。
【００２６】
第１のメンブレンスイッチ５はほぼ円形のヘッド部５１とこのヘッド部５１に連なるテール部５２とを有する。ヘッド部５１の周縁部には４つの切欠き３３ａにそれぞれ対向する４つの切欠き５１ａが形成されている。
【００２７】
図６に示すように、第１のメンブレンスイッチ５は第１のメンブレンシート（可撓性シート）６１とスペーサ６２と第２メンブレンシート（可撓性シート）６３と可動接点６４と固定接点６５とからなる。
【００２８】
第１のメンブレンシート６１には導電路（図示せず）が印刷により形成されている。
【００２９】
スペーサ６２は複数の孔６２ａを有する（図６では１つの孔６２ａだけが示されている）。スペーサ６２は第１のメンブレンシート６１の下面に貼り付けられている。
【００３０】
第２のメンブレンシート６３はスペーサ６２の下面に貼り付けられている。第２のメンブレンシート６３には導電路（図示せず）が印刷により形成されている。
【００３１】
可動接点６４は、第１のメンブレンシート６１の下面に印刷により形成され、第１のメンブレンシート６１の導電路に電気的に接続されている。可動接点６４は孔６２ａに収容される。
【００３２】
固定接点６５は、第２のメンブレンシート６３の上面に可動接点６４とに対向するように印刷により形成され、第２のメンブレンシート６３の導電路に電気的に接続されている。固定接点６５は孔６２ａに収容される。
【００３３】
可動接点６４と固定接点６５とで感圧部（第１感圧部）６６が構成される。第１の押圧力でキー部３１又はボタン部３２を押圧すると、可動接点６４が固定接点６５に接触し、感圧部６６は第１の押圧力が作用したことを検出する。
【００３４】
図１、２に示すように、補強板７は弾性を有する０．０５ｍｍ〜０．３ｍｍ厚の金属板を卍形に打ち抜いて形成されたものである。補強板７は１つの保持部７１と４つの支持部７２と４つの取付部７３とを有する。補強板７は両面テープ１７によって第１のメンブレンスイッチ５の下面に貼り付けられる。
【００３５】
保持部７１はほぼ十字形である。保持部７１は第１のメンブレンスイッチ５とノブ３とを保持し、複数の感圧部６６（図６参照）と対向する。保持部７１の下面には複数の突起７４が形成されている。第１のメンブレンスイッチ５が第２の押圧力（第１の押圧力よりも大きな力）で押圧されたとき、押された位置の真下に保持部７１だけが下方へ撓む（図９参照）。
【００３６】
支持部７２は保持部７１に連なる。第１のメンブレンスイッチ５が第２の押圧力（第１の押圧力よりも大きな力）で押圧されたとき、支持部７２は保持部７１とともに下方へ大きく撓む。その結果、突起７４がクリック板１１を介して第２のメンブレンスイッチ９を押圧し、第２のメンブレンスイッチ９は第２の押圧力が作用したことを検出する。
【００３７】
取付部７３はほぼ円形である。取付部７３は支持部７２に連なる。取付部７３には切欠き５１ａに対向する孔７３ａが形成されている。取付部７３の下面には両面テープ（図示せず）によりスペーサ８が貼り付けられている。スペーサ８には孔７３ａに通じる孔（図示せず）が形成されている。スペーサ８は、図４に示すように、補強板７と第２のメンブレンスイッチ９との間にクリック板１１を収容するスペースを作る。
【００３８】
第２のメンブレンスイッチ９はほぼ円形のヘッド部９１とこのヘッド部９１に連なるほぼＬ字形のテール部９２とを有する。ヘッド部９１の周縁部にはほぼ９０度の間隔でほぼ半円形の４つの突起９３が形成され、各突起９３には孔７３ａと対向する孔９３ａが形成されている。
【００３９】
図７に示すように、第２のメンブレンスイッチ９は第１のメンブレンシート１０１とスペーサ１０２と第２メンブレンシート１０３と可動接点１０４と固定接点１０５とからなる。
【００４０】
第１のメンブレンシート１０１には導電路（図示せず）が印刷により形成されている。
【００４１】
スペーサ１０２は５つの孔１０２ａを有する。１つの孔１０２ａはヘッド部９１の中心部に位置し、その孔１０２ａを囲むように残りの４つの孔１０２ａが配置されている。スペーサ１０２は第１のメンブレンシート１０１の下面に貼り付けられている。
【００４２】
第２のメンブレンシート１０３はスペーサ１０２の下面に貼り付けられている。第２のメンブレンシート１０３には導電路（図示せず）が印刷により形成されている。
【００４３】
可動接点１０４は、第１のメンブレンシート１０１の下面に印刷により形成され、第１のメンブレンシート１０１の導電路に電気的に接続されている。可動接点１０４は各孔１０２ａに収容される。
【００４４】
固定接点１０５は、第２のメンブレンシート１０３の上面に可動接点１０４に対向するように印刷により形成され、第２のメンブレンシート１０３の導電路に電気的に接続されている。固定接点１０５は各孔１０２ａに収容される。
【００４５】
可動接点１０４と固定接点１０５とで感圧部（第２感圧部）１０６が構成される。第２の押圧力でキー部３１又はボタン部３２を押圧すると、その押圧力が補強板７及びクリック板１１を介して可動接点１０４に伝わり、可動接点１０４が固定接点１０５に接触し、感圧部１０６は第２の押圧力が作用したことを検出する。
【００４６】
クリック板１１は、各感圧部１０６と対向するように、第１のメンブレンシート１０１の上面に５つ配置されている。各クリック板１１は、図１、４、５に示すように、片面粘着テープ１９によって第２のメンブレンスイッチ９のヘッド部９１に貼り付けられている。両面テープ１９はほぼ円形で、その周縁部にはほぼ９０度の間隔でほぼ半円形の突片１９１が４つ形成されている。突片１９１には、孔７３ａに対向する孔１９１ａが形成されている。
【００４７】
リアプレート１３はほぼ円形で、その周縁部にはほぼ９０度の間隔でほぼ半円形の４つの突起１３１が形成されているとともに、ほぼ１８０度の間隔でほぼＬ字形の２つの取付アーム１３２が形成されている。突起１３１には孔９３ａに対向する孔１３１ａが形成されている。取付アーム１３２には、ボルト挿入孔１３２ａと位置決め孔１３２ｂとが形成されている。リアプレート１３は両面テープ２１によって第２のメンブレンスイッチ９のヘッド部９１の下面に貼り付けられている。両面テープ２１はほぼ円形で、その周縁部にはほぼ９０度の間隔でほぼ半円形の突片２１１が４つ形成されている。突片２１１には、孔９３ａに対向する孔２１１ａが形成されている。
【００４８】
カバー１４は樹脂で形成されている。カバー１４はほぼ円盤状である。カバー１４はプレート部１４１と４つのボス１４２とを有する。プレート部１４１には、ノブ３のキー部３１及びボタン部３２を通す、ほぼ十字形の孔１４１ａが形成されている。ボス１４２はプレート部１４１の周縁部にほぼ９０度の間隔で形成されている。組立のとき、ボス１４２は切欠き３３ａ，５１ａ，孔７３ａ，１９１ａ，９３ａ，２１１ａ，１３１ａに通された後、図４に示すように、熱かしめされる。
【００４９】
図８は２段スイッチユニットのノブに指先が接触している状態を示す断面図、図９は２段スイッチユニットのノブのキー部が指先によって押圧された状態を示す断面図である。
【００５０】
次に、この実施形態の動作について説明する。
【００５１】
まず、図８に示すように、指Ｆをノブ３のボタン部３２に置き、その後、第１の押圧力で押圧すると、ボタン部３２の裏側に位置する突起３２ａによってその突起３２ａの下に位置する感圧部６６（図６参照）が押圧され、その位置の感圧部６６が押圧されたことを表わす検出信号が出力される。この検出信号に基づいて図示しないディスプレイ上に、押圧された感圧部６６に対応する項目（ナビゲーションシステムの特定の項目）が選択されていることが表示される。ボタン部３２又はキー部３１が第１の押圧力で押圧されるとき、補強板７はほとんど撓まず、第１のメンブレンスイッチ５等を確実に保持する。
【００５２】
もし、操作者が誤って項目を選択したときは、例えば、図８の矢印に示すように、指Ｆをボタン部３２からキー部３１へ滑らせればよい。その結果、キー部３１の裏側に位置する突起３１ａによってその突起３１ａの下に位置する感圧部６６が押圧され、その位置の感圧部６６が押圧されたことを表わす検出信号が出力され、別の項目が選択されたことがディスプレイ上に表示される。
【００５３】
操作者は目的の項目が選択されたことを認識したらキー部３１を第２の押圧力で押圧する。キー部３１が第２の押圧力で押圧されると、図９に示すように、補強板７が部分的に撓み、補強板７を介して第２の押圧力が現在押されているキー部３１の下方位置するクリック板１１に伝えられる。この結果、クリック板１１の中央部が大きくくぼみ、第２のメンブレンスイッチ９の感圧部１０６（図７参照）が押圧され、感圧部１０６が押圧されたことを表わす検出信号が出力される。この検出信号に基づいてキー部３１の下に位置する感圧部６６が押圧されることによって選択された項目のプログラムが実行される。
【００５４】
この実施形態の２段式スイッチユニットによれば、第２メンブレンスイッチ９が正しく機能するとともに、補強板７を第２の押圧力で押圧したときに撓むようにしたので、補強板７によるクリック感の低下を大幅に抑制することができる。
【００５５】
なお、この実施形態では、支持手段として金属板からなる補強板７を用いたが、支持手段として例えば、０．１ｍｍ〜０．３ｍｍ厚のプラスチック板からなる補強板を用いてもよいし、金属板とプラスチック板との複合材からなる補強板を用いてもよい。
【００５６】
また、第１の押圧検出手段として、第１のメンブレンスイッチ５の代わりに静電容量検出型スイッチを用いてもよい。
【００５７】
なお、第２の押圧検出手段として、第２のメンブレンスイッチ９の代わりにタクトスイッチを用いてもよい。
【００５８】
図１０はこの発明の第２実施形態に係る２段スイッチユニットの分解斜視図、図１１は図１０の２段スイッチユニットを下方から見たときの分解斜視図、図１２は２段スイッチユニットの平面図、図１３は図１２のXIII−XIII線に沿う断面図である。
【００５９】
第１実施形態に係る２段スイッチユニットと共通する部分については同一符号を付してその説明を省略する。以下、主な相違部分についてだけ説明する。
【００６０】
図１０〜１３に示すように、第２実施形態に係る２段スイッチユニットのカバー２１４はプレート部２４１とボス１４２とを有する。プレート部２４１はほぼ矩形である。プレート部２４１にはほぼ矩形の孔２４１aが形成されている。ボス１４２はプレート部２４１の４つの角部に形成されている。
【００６１】
ノブ２０３は複数のボタン部２３２とプレート部２３３と側壁部２３４とを有する。複数のボタン部２３２は一直線上に並んでいる。プレート部２３３はほぼ矩形である。プレート部２３３に複数のボタン部２３２が配置されている。側壁部２３４はプレート部２３３の周縁に形成されている。側壁部２３４の４箇所には凹部２３４aが形成されている。凹部２３４aはボス１４２との干渉を避けるためのものである。
【００６２】
第１のメンブレンスイッチ２０５はヘッド部２５１とテール部５２とを有する。ヘッド部２５１はほぼ矩形である。ヘッド部２５１の複数の感圧部（図示せず）はそれぞれボタン部２３２に対向する。ヘッド部２５１は両面テープ２２３によってプレート部２３３の下面に貼り付けられている。
【００６３】
矩形の補強板２０７の２つの長辺には複数の切れ込み２７６が形成され、これにより複数のボタン部２３２に対応する複数の保持部２７１が形成される。複数の保持部２７１のほぼ中央部には突起部２７４が形成されている。
【００６４】
補強板２０７は可撓性を有する。補強板２０７の４つの角部には切欠き２７７が形成されている。切欠き２７７はボス１４２との干渉を避けるためのものである。
【００６５】
複数の保持部２７１はそれぞれほぼI字状であり、ヘッド部２５１の感圧部を保持する。保持部２７１はボタン部２３２が第１の押圧力で押圧されたとき、ほとんど撓まないが、ボタン部２３２が第２の押圧力で押圧されたとき、現在押されているボタン部２３２のほぼ真下にある保持部２７１が下方へ撓む。隣接する保持部２７１間には切り込みがあるので、ある保持部２７１が押されて撓んだとき、それにつられて隣接する保持部２７１がほとんど撓まない。
【００６６】
複数の突起部２７４はそれぞれ保持部２７１の中央部に形成されている。突起部２７４は第２のメンブレンスイッチ２０９上のクリック板１１の方へ突出している。
【００６７】
複数の連結部２７６は保持部２７１同士を連結する。
【００６８】
第２のメンブレンスイッチ２０９はヘッド部２９１とテール部９２とを有する。ヘッド部２９１はほぼ矩形である。ヘッド部２９１の４つの角部には切欠き２９１aが形成されている。切欠き２９１aはボス１４２との干渉を避けるためのものである。ヘッド部２９１の複数の感圧部（図示せず）はそれぞれ突起部２７４に対向する。これら感圧部にはそれぞれクリック板１１が被せられている。複数のクリック板１１は片面粘着テープ２１９によってヘッド部２９１に固定されている。
【００６９】
リアプレート３１３はほぼ矩形であり、取付アーム３３２を有する。取付アーム３３２にはボルト挿入孔３３２a及び位置決め用切欠き３３２bが形成されている。リアプレート３１３の上面には両面テープ２２１によって第２のメンブレンスイッチ２０９のヘッド部２９１が貼り付けられている。
【００７０】
第２実施形態に係る２段スイッチユニットによれば、第１実施形態に係る２段スイッチユニットと同様の作用効果が得られる。
【図面の簡単な説明】
【００７１】
【図１】図１はこの発明の一実施形態に係る２段スイッチユニットの分解斜視図である。
【図２】図２は図１の２段スイッチユニットを下方から見たときの分解斜視図である。
【図３】図３は２段スイッチユニットの平面図である。
【図４】図４は図３のIV−IV線に沿う断面図である。
【図５】図５は図３のＶ−Ｖ線に沿う断面図である。
【図６】図６は第１のメンブレンスイッチの断面図である。
【図７】図７は図１に示す第２のメンブレンスイッチの断面図である。
【図８】図８は２段スイッチユニットのノブに指先が接触している状態を示す断面図である。
【図９】図９は２段スイッチユニットのノブのキー部が指先によって押圧された状態を示す断面図である。
【図１０】図１０はこの発明の第２実施形態に係る２段スイッチユニットの分解斜視図である。
【図１１】図１１は図１０の２段スイッチユニットを下方から見たときの分解斜視図である。
【図１２】図１２は２段スイッチユニットの平面図である。
【図１３】図１３は図１２のXIII−XIII線に沿う断面図である。
【符号の説明】
【００７２】
５，２０５  第１のメンブレンスイッチ（第１の押圧検出手段）
６１  第１メンブレンシート（可撓性シート）
６３  第２メンブレンシート（可撓性シート）
６６  感圧部（第１感圧部）
７，２０７  補強板（可撓板）
７１，２７１  保持部
９，２０９  第２のメンブレンスイッチ（第２の押圧検出手段）
１０６  感圧部（第２感圧部）
【図１】
2006286353.tif 000003
【図２】
2006286353.tif 000004
【図３】
2006286353.tif 000005
【図４】
2006286353.tif 000006
【図５】
2006286353.tif 000007
【図６】
2006286353.tif 000008
【図７】
2006286353.tif 000009
【図８】
2006286353.tif 000010
【図９】
2006286353.tif 000011
【図１０】
2006286353.tif 000012
【図１１】
2006286353.tif 000013
【図１２】
2006286353.tif 000014
【図１３】
2006286353.tif 000015